(57)【要約】【課題】ハンドルの取付の自由度を向上すること。【解決手段】配線器具１０Ａは、筐体１を備える。筐体１は、第１取付部３１と、複数の第２取付部３２とを有する。第１取付部３１には、取付枠６が取り付けられる。複数の第２取付部３２には、複数のハンドル７がそれぞれ取り付けられる。複数のハンドル７の各々は、取付構造７００が互いに異なる複数種類のハンドル７のうちの１つである。複数の第２取付部３２の各々は、複数種類のハンドル７の取付構造７００をそれぞれ保持する複数種類の保持構造４を有する。複数種類の保持構造４の各々は、複数種類のハンドル７の取付構造７００のうち対応する取付構造７００の有する１以上の取付爪７０を保持する１以上の保持部を有する。【選択図】図１
2018085318.tif 000002
【特許請求の範囲】
【請求項１】
複数のスイッチを有するスイッチ回路を収納する筐体を備え、
前記筐体は、
取付枠が取り付けられる第１取付部と、
前記複数のスイッチを操作するための複数のハンドルがそれぞれ取り付けられる複数の第２取付部とを有し、
前記複数のハンドルの各々は、１以上の取付爪を有して前記筐体に取り付けられる取付構造が互いに異なる複数種類のハンドルのうちの１つであり、
前記複数の第２取付部の各々は、前記複数種類のハンドルの前記取付構造をそれぞれ保持する複数種類の保持構造を有し、
前記複数種類の保持構造の各々は、前記複数種類のハンドルの前記取付構造のうち対応する取付構造の有する前記１以上の取付爪を保持する１以上の保持部を有することを特徴とする配線器具。
【請求項２】
前記複数種類のハンドルの各々は、第１端に所定の形状の軸部を受ける軸受を有し、第２端に前記１以上の取付爪を有し、
前記複数の第２取付部の各々は、前記所定の形状の軸部を有することを特徴とする請求項１記載の配線器具。
【請求項３】
前記複数種類の保持構造の各々の前記１以上の保持部は、前記筐体に一列に並ぶように形成された３つ以上の共通保持部から選択される１以上の共通保持部であることを特徴とする請求項１又は２に記載の配線器具。
【請求項４】
前記筐体は、一面に開口部を有して前記スイッチ回路が収納される空間を有するボディと、前記ボディに取り付けられて前記開口部を塞ぐカバーとを備え、
前記第１取付部及び前記複数の第２取付部は、前記カバーに設けられ、
前記カバーは、前記複数の第２取付部と１対１に対応する複数の弾性片を有し、
前記複数の弾性片の各々は、前記複数のスイッチのうち対応するスイッチを押す位置と、前記対応するスイッチから離れた位置との間で撓み可能に構成されることを特徴とする請求項１乃至３のいずれか１項に記載の配線器具。
【請求項５】
前記複数の弾性片の各々は、
前記対応するスイッチを押す力が作用する作用部と、
前記対応するスイッチに接する位置と、前記対応するスイッチから離れた位置との間で移動可能な押部と、
前記作用部と前記押部とを繋ぐ繋ぎ部とを有し、
前記押部は、前記繋ぎ部を支点として撓み可能であることを特徴とする請求項４記載の配線器具。
【請求項６】
前記筐体は、一面に開口部を有して前記スイッチ回路が収納される空間を有するベースと、前記ベースに取り付けられて前記複数の第２取付部と１対１に対応して前記開口部を塞ぐ複数のスイッチカバーとを備え、
前記第１取付部及び前記複数の第２取付部は、前記ベースに設けられることを特徴とする請求項１乃至３のいずれか１項に記載の配線器具。
【請求項７】
前記複数のスイッチカバーの各々は、前記複数のスイッチのうち対応するスイッチを直接押す位置に設けられることを特徴とする請求項６記載の配線器具。
【請求項８】
前記取付枠は、複数種類の取付枠のうちの１つであり、
前記複数種類の取付枠は、前記複数種類の取付枠で共通する位置に複数の共通取付孔を有し、
前記第１取付部は、前記複数の共通取付孔にそれぞれ取り付けられる複数の取付突起を有することを特徴とする請求項１乃至７のいずれか１項に記載の配線器具。
【請求項９】
前記複数の取付突起は、前記複数の共通取付孔のうち前記取付枠の第１端に設けられた１以上の共通取付孔に取り付けられる１以上の第１取付突起と、前記複数の共通取付孔のうち前記取付枠の第２端に設けられた１以上の共通取付孔に取り付けられる１以上の第２取付突起とで構成され、
前記１以上の第１取付突起及び前記１以上の第２取付突起の少なくとも一方は、前記複数の共通取付孔のうち対応する共通取付孔に引っ掛かる位置と、前記対応する共通取付孔から離れた位置との間で撓み可能に構成されることを特徴とする請求項１乃至８のいずれか１項に記載の配線器具。
【請求項１０】
請求項１乃至９のいずれか１項に記載の配線器具と、前記配線器具が取り付けられる前記取付枠と、前記配線器具に取り付けられる前記複数のハンドルとを備えることを特徴とする配線器具システム。
【発明の詳細な説明】
【技術分野】
【０００１】
本発明は、一般に配線器具及び配線器具システムに関し、より詳細には、取付枠に取り付けられる配線器具及び配線器具システムに関する。
【背景技術】
【０００２】
従来、施工面に一部を埋め込んで設置される押釦スイッチ（配線器具）が知られており、例えば特許文献１に開示されている。特許文献１に記載の配線器具は、施工面に埋込配置されたスイッチボックスに取着可能なボディと、前後方向へ移動可能にボディに保持される押釦と、押釦により押される小型スイッチとを備える。また、この配線器具は、押釦の前方に位置し、押し込み操作により押釦を後方へ移動させる操作ハンドル（ハンドル）を備える。
【先行技術文献】
【特許文献】
【０００３】
【特許文献１】特開２０００−１３３０８９号公報
【発明の概要】
【発明が解決しようとする課題】
【０００４】
上記従来例のような配線器具においては、１種類のハンドルだけでなく、複数種類のハンドルが取り付け可能であること、つまり、ハンドルの取付の自由度が向上することが望ましい。
【０００５】
本発明は、上記の点に鑑みてなされており、ハンドルの取付の自由度を向上することのできる配線器具及び配線器具システムを提供することを目的とする。
【課題を解決するための手段】
【０００６】
本発明の一態様に係る配線器具は、複数のスイッチを有するスイッチ回路を収納する筐体を備える。前記筐体は、第１取付部と、複数の第２取付部とを有する。前記第１取付部には、取付枠が取り付けられる。前記複数の第２取付部には、前記複数のスイッチを操作するための複数のハンドルがそれぞれ取り付けられる。前記複数のハンドルの各々は、複数種類のハンドルのうちの１つである。前記複数種類のハンドルでは、１以上の取付爪を有して前記筐体に取り付けられる取付構造が互いに異なる。前記複数の第２取付部の各々は、前記複数種類のハンドルの前記取付構造をそれぞれ保持する複数種類の保持構造を有する。前記複数種類の保持構造の各々は、前記複数種類のハンドルの前記取付構造のうち対応する取付構造の有する前記１以上の取付爪を保持する１以上の保持部を有する。
【０００７】
本発明の一態様に係る配線器具システムは、上記の配線器具と、前記配線器具が取り付けられる前記取付枠と、前記配線器具に取り付けられる前記複数のハンドルとを備える。
【発明の効果】
【０００８】
本発明は、ハンドルの取付の自由度を向上することができる。
【図面の簡単な説明】
【０００９】
【図１】図１は、本発明の実施形態１に係る配線器具及び第１配線器具システムの分解斜視図である。
【図２】図２は、同上の配線器具及び第１配線器具システムの全体斜視図である。
【図３】図３は、同上の配線器具及び第２配線器具システムの分解斜視図である。
【図４】図４は、同上の配線器具及び第２配線器具システムの全体斜視図である。
【図５】図５Ａは、同上の配線器具を前方から見た斜視図である。図５Ｂは、同上の配線器具を後方から見た斜視図である。
【図６】図６Ａは、同上の第１配線器具システムの第１ハンドルを後方から見た斜視図である。図６Ｂは、同上の第２配線器具システムの第２ハンドルを後方から見た斜視図である。
【図７】図７Ａは、同上の配線器具を第１取付枠に取り付けた状態を示す左面図である。図７Ｂは、同上の配線器具を第１取付枠に取り付けた状態を示す右面図である。
【図８】図８Ａは、同上の配線器具を第２取付枠に取り付けた状態を示す左面図である。図８Ｂは、同上の配線器具を第２取付枠に取り付けた状態を示す右面図である。
【図９】図９は、同上の配線器具の変形例の分解斜視図である。
【図１０】図１０は、同上の配線器具の変形例の後面図である。
【図１１】図１１は、本発明の実施形態２に係る配線器具を前方から見た分解斜視図である。
【図１２】図１２は、同上の配線器具を後方から見た分解斜視図である。
【図１３】図１３は、同上の配線器具の変形例の分解斜視図である。
【図１４】図１４は、同上の配線器具の変形例の後面図である。
【図１５】図１５は、本発明の実施形態３に係る配線器具のカバーを前方から見た斜視図である。
【図１６】図１６は、同上の配線器具の弾性片及びスイッチの一部断面を含む斜視図である。
【図１７】図１７Ａは、同上の配線器具において、ハンドルが押し込まれる前の状態を示す断面図である。図１７Ｂは、同上の配線器具において、ハンドルが押し込まれた後の状態を示す断面図である。図１７Ｃは、同上の配線器具において、ハンドルがさらに押し込まれた後の状態を示す断面図である。
【図１８】図１８は、比較例の配線器具の弾性片及びスイッチの一部断面を含む斜視図である。
【図１９】図１９Ａは、同上の配線器具において、ハンドルが押し込まれる前の状態を示す断面図である。図１９Ｂは、同上の配線器具において、ハンドルが押し込まれた後の状態を示す断面図である。
【発明を実施するための形態】
【００１０】
（実施形態１）
（１）概要
まず、本実施形態に係る配線器具１０Ａ及び配線器具システム１００の概要について図１〜図５Ｂを用いて説明する。本実施形態では、配線器具システム１００は、第１配線器具システム１００Ａと、第２配線器具システム１００Ｂとのいずれかである。したがって、第１配線器具システム１００Ａ及び第２配線器具システム１００Ｂを特に区別しない場合は、単に配線器具システム１００という。
【００１１】
本実施形態の配線器具システム１００は、配線器具１０Ａと、配線器具１０Ａが取り付けられる取付枠６と、配線器具１０Ａに取り付けられる複数（ここでは、３つ）のハンドル７とを備えている。取付枠６は、複数種類の取付枠６のうちの１つである。本実施形態では、取付枠６は、第１取付枠６Ａと、第２取付枠６Ｂとのいずれかである。したがって、第１取付枠６Ａ及び第２取付枠６Ｂを特に区別しない場合は、単に取付枠６という。
【００１２】
配線器具１０Ａは、配線器具１０Ａに対して電線を電気的に接続した状態で、施工面（例えば、建物の壁面）に取り付けられる。配線器具１０Ａは、埋込型の配線器具であって、取付枠６を用いて施工面に取り付けられる。具体的には、配線器具１０Ａが取り付けられた取付枠６を、例えば埋込ボックスに対して固定することにより、配線器具１０Ａが施工面に取り付けられる。ここでいう埋込ボックスは、一面が開放された箱状の部材であって、施工面に形成された施工孔から上記一面を露出させるようにして、壁内に設置される。
【００１３】
配線器具１０Ａは、図１に示すように、複数（ここでは、３つ）のスイッチ５１１を有するスイッチ回路５１を収納する筐体１を備えている。筐体１は、第１取付部３１と、複数（ここでは、３つ）の第２取付部３２とを有している。第１取付部３１には、取付枠６が取り付けられる。本実施形態では、第１取付枠６Ａ及び第２取付枠６Ｂのいずれにも配線器具１０Ａを取り付けることが可能である。
【００１４】
複数の第２取付部３２には、それぞれ複数（ここでは、３つ）のハンドル７が取り付けられる。複数のハンドル７は、それぞれ複数のスイッチ５１１のうちの対応するスイッチ５１１を操作するために用いられる。つまり、ユーザがハンドル７を押し込むことにより、対応するスイッチ５１１が操作される。
【００１５】
本実施形態では、配線器具１０Ａは、電動シャッタ用スイッチであり、電動シャッタの開閉機に電気的に接続して用いられる。したがって、本実施形態の配線器具システム１００では、複数のハンドル７のいずれかをユーザが押し込むことにより、電動シャッタを開閉させることができる。例えば、図１における３つのハンドル７が、上から順に開スイッチ、停止スイッチ、閉スイッチに対応していると仮定する。
【００１６】
この場合、ユーザが上側のハンドル７を押し込むことで開スイッチが操作されると、開スイッチの操作に伴って信号が電動シャッタの開閉機に送信される。そして、電動シャッタの開閉機が電動シャッタを制御することにより、電動シャッタが開く向きに移動する。また、ユーザが下側のハンドル７を押し込むことで閉スイッチが操作されると、閉スイッチの操作に伴って信号が電動シャッタの開閉機に送信される。そして、電動シャッタの開閉機が電動シャッタを制御することにより、電動シャッタが閉じる向きに移動する。ユーザが中央のハンドル７を押し込むことで停止スイッチが操作されると、停止スイッチの操作に伴って信号が電動シャッタの開閉機に送信される。そして、電動シャッタの開閉機が電動シャッタを制御することにより、電動シャッタの移動が停止する。
【００１７】
複数のハンドル７の各々は、複数種類のハンドル７のうちの１つである。本実施形態では、ハンドル７は、第１ハンドル７Ａと、第２ハンドル７Ｂとのいずれかである。したがって、第１ハンドル７Ａ及び第２ハンドル７Ｂを特に区別しない場合は、単にハンドル７という。複数種類のハンドル７では、１以上の取付爪７０を有して筐体１に取り付けられる取付構造７００が互いに異なっている。本実施形態では、取付構造７００は、第１ハンドル７Ａの第１取付構造７０１と、第２ハンドル７Ｂの第２取付構造７０２とのいずれかである。したがって、第１取付構造７０１及び第２取付構造７０２を特に区別しない場合、単に取付構造７００という。また、本実施形態では、取付爪７０は、第１ハンドル７Ａの有する一対の第１取付爪７２と、第２ハンドル７Ｂの有する第２取付爪７７とのいずれかである。したがって、第１取付爪７２及び第２取付爪７７を特に区別しない場合、単に取付爪７０という。
【００１８】
複数の第２取付部３２の各々は、複数種類のハンドル７の取付構造７００をそれぞれ保持する複数種類の保持構造４を有する。本実施形態では、第２取付部３２は、第１ハンドル７Ａの第１取付構造７０１を保持する第１保持構造４１と、第２ハンドル７Ｂの第２取付構造７０２を保持する第２保持構造４２とを有している。
【００１９】
そして、複数種類の保持構造４の各々は、複数種類のハンドル７の取付構造７００のうち対応する取付構造７００の有する１以上の取付爪７０を保持する１以上の保持部４０を有している。本実施形態では、第１保持構造４１は、第１ハンドル７Ａの第１取付構造７０１の有する一対の第１取付爪７２を保持する一対の第１保持部４０１を有している。また、第２保持構造４２は、第２ハンドル７Ｂの第２取付構造７０２の有する第２取付爪７７を保持する第２保持部４０２を有している。以下では、第１保持部４０１及び第２保持部４０２を特に区別しない場合、単に保持部４０という。
【００２０】
このため、本実施形態の配線器具１０Ａには、複数種類のハンドル７（第１ハンドル７Ａ及び第２ハンドル７Ｂ）から選択されたハンドル７を取り付けることが可能である。したがって、本実施形態の配線器具１０Ａは、ハンドル７の取付の自由度を向上することができる。
【００２１】
（２）詳細
以下、本実施形態の配線器具１０Ａ及び配線器具システム１００について詳細に説明する。以下の説明では、施工面である建物の壁面に配線器具１０Ａが取り付けられた状態において、施工面と直交する方向を「前後方向」とし、配線器具１０Ａから見て取付枠６側を「前方」、その逆を「後方」とする。また、以下の説明では、前後方向に直交し、かつ水平方向に平行な方向を「左右方向」とし、配線器具１０Ａを正面から見た右方を「右方」、左方を「左方」とする。さらに、以下の説明では、前後方向と左右方向との両方に直交する方向、つまり水平面に直交する方向を「上下方向」とし、配線器具１０Ａを正面から見た上方を「上方」、下方を「下方」とする。
【００２２】
ここで、図面中の「前」、「後」、「上」、「下」、「左」、「右」を示す矢印は説明のために表記しているに過ぎず、実体を伴わない。また、上記に示す方向は、配線器具１０Ａ及び配線器具システム１００の使用方向を限定する趣旨ではない。例えば、配線器具１０Ａが天井に取り付けられる場合は、「前後方向」は水平面に直交する方向となり、左右方向及び上下方向は、水平面に平行な方向となる。
【００２３】
本実施形態の第１配線器具システム１００Ａは、図１、図２に示すように、配線器具１０Ａと、配線器具１０Ａが取り付けられる第１取付枠６Ａと、配線器具１０Ａに取り付けられる複数（ここでは、３つ）の第１ハンドル７Ａとを備えている。また、本実施形態の第２配線器具システム１００Ｂは、図３、図４に示すように、配線器具１０Ａと、配線器具１０Ａが取り付けられる第２取付枠６Ｂと、配線器具１０Ａに取り付けられる複数（ここでは、３つ）の第２ハンドル７Ｂとを備えている。
【００２４】
また、本実施形態の配線器具１０Ａは、図１に示すように、筐体１と、筐体１に収納されてスイッチ回路５１が実装される基板５とを備えている。筐体１は、例えばＰＢＴ（Polybutylene terephthalate）樹脂により形成されている。筐体１は、一面（上面）に開口部２１を有するボディ２と、ボディ２に取り付けられて開口部２１を塞ぐカバー３とで構成されている。
【００２５】
ボディ２は、上下方向に長い直方体状に形成されており、その内部には、基板５が収納される。つまり、ボディ２は、スイッチ回路５１が収納される空間を有している。ボディ２の上壁には、上向きに突出する一対の組立突起２２が一体に形成されている。また、ボディ２の下壁には、下向きに突出する一対の組立突起２２（図５Ｂ参照）が一体に形成されている。ボディ２の上下方向における中央部には、一対のコネクタ端子孔２３が設けられている。各コネクタ端子孔２３は、前方から見て矩形状であり、ボディ２を前後方向に貫通している。また、ボディ２の右壁の上下方向における中央部には、凹部２４が設けられている。凹部２４は、ボディ２の右壁の前端縁から後向きに窪んでいる。
【００２６】
カバー３は、上下方向に長い直方体状に形成されており、一面（下面）に開口部が設けられている。カバー３の上壁の後端縁には、後向きに突出する一対の組立片３５が一体に形成されている。また、カバー３の下壁の後端縁には、後向きに突出する一対の組立片３５（図５Ｂ参照）が一体に形成されている。各組立片３５は、上方から見て矩形状に形成されており、組立孔３６を有している。各組立孔３６は、上方から見て矩形状であり、組立片３５を上下方向に貫通している。これら組立片３５の組立孔３６にボディ２の対応する組立突起２２を嵌め合わせて、ボディ２及びカバー３を組み合わせることにより、筐体１が組み立てられる（図５Ａ、図５Ｂ参照）。
【００２７】
カバー３は、図５Ａ、図５Ｂに示すように、取付枠６が取り付けられる第１取付部３１と、複数（ここでは、３つ）のハンドル７がそれぞれ取り付けられる複数（ここでは、３つ）の第２取付部３２とを有している。
【００２８】
第１取付部３１は、複数（ここでは、３対）の取付突起３１１を有している。本実施形態では、取付突起３１１は、第１取付突起３１１Ａと、第２取付突起３１１Ｂとのいずれかである。したがって、第１取付突起３１１Ａ及び第２取付突起３１１Ｂを特に区別しない場合、単に取付突起３１１という。３対の取付突起３１１のうち一対の取付突起３１１は、一対の第１取付突起３１１Ａとして、カバー３の右壁に設けられている。また、３対の取付突起３１１のうち残りの２対の取付突起３１１は、２対の第２取付突起３１１Ｂとして、カバー３の左壁に設けられている。
【００２９】
一対の第１取付突起３１１Ａは、カバー３の右壁の上下方向における中央部に設けられており、右向きに突出するように一体に形成されている。一対の第１取付突起３１１Ａは、取付枠６の右側の縦片６１に設けられた複数の共通取付孔６００（後述する）に嵌り合う形状を有している。つまり、複数の取付突起３１１は、複数の共通取付孔６００のうち取付枠６の第１端（右端）に設けられた１以上の共通取付孔６００に取り付けられる１以上の第１取付突起３１１Ａを有している。
【００３０】
２対の第２取付突起３１１Ｂは、カバー３の左壁の上端及び下端にそれぞれ設けられており、左向きに突出するように一体に形成されている。２対の第２取付突起３１１Ｂは、取付枠６の左側の縦片６１に設けられた複数の共通取付孔６００に嵌り合う形状を有している。つまり、複数の取付突起３１１は、複数の共通取付孔６００のうち取付枠６の第２端（左端）に設けられた１以上の共通取付孔６００に取り付けられる１以上の第２取付突起３１１Ｂを有している。
【００３１】
一対の第１取付突起３１１Ａを挟んだ上下両側には、それぞれ前後方向に長いスリット３１２が設けられている。各スリット３１２は、カバー３の右壁を左右方向に貫通している。したがって、一対の第１取付突起３１１Ａは、これらスリット３１２により挟まれる部位の前端を支点として、左右方向に撓み可能に構成されている。具体的には、一対の第１取付突起３１１Ａは、複数の共通取付孔６００のうち対応する共通取付孔６００に引っ掛かる位置と、対応する共通取付孔６００から離れた位置との間で撓み可能に構成されている。
【００３２】
また、カバー３の右壁において、一対の第１取付突起３１１Ａよりも後方には、右向きに突出するリブ３１３が一体に形成されている。リブ３１３は、ボディ２及びカバー３を組み合わせた状態で、ボディ２の凹部２４に嵌るようになっている。
【００３３】
複数の第２取付部３２は、上下方向に並んでカバー３に設けられている。各第２取付部３２は、一対の軸部３２１と、複数（ここでは、３つ）の保持部４０とを有している。一対の軸部３２１は、いずれも所定の形状を有しており、カバー３の前面の左端において、上下方向に並んで設けられている。ハンドル７は、一対の軸部３２１に、ハンドル７の一対の軸受７３（後述する）を嵌め合わせることにより、一対の軸部３２１を支点として所定の範囲を回転可能となっている。
【００３４】
３つの保持部４０は、いずれもカバー３の前壁を前後方向に貫通する孔であり、前方から見て矩形状である。また、３つの保持部４０は、カバー３の前面の右端において、上下方向に並んで設けられている。本実施形態では、各第２取付部３２は、複数種類（ここでは、２種類）の保持構造４を有している。そして、本実施形態では、３つの保持部４０により、第１保持構造４１と、第２保持構造４２とが構成されている。第２取付部３２の保持構造４については、「（３）第２取付部の保持構造」にて詳細に説明する。
【００３５】
カバー３の前壁には、複数（ここでは、３つ）のＴ字状の切り欠き３３が設けられている。また、カバー３の前壁には、複数（ここでは、３つ）の弾性片３４が、それぞれ複数の切り欠き３３の内側に位置するように一体に形成されている。また、各弾性片３４は、一対の軸部３２１と、３つの保持部４０との間に位置するように設けられている。つまり、カバー３は、複数の第２取付部３２と１対１に対応する複数の弾性片３４を有している。
【００３６】
各弾性片３４は、第１端（左端）３４０を支点として、切り欠き３３を通して前後方向に撓み可能に構成されている。また、複数の弾性片３４の各々の第２端（右端）には、上下方向に長い作用片３４１が一体に形成されている。作用片３４１は、弾性片３４の他の部位よりも前向き及び後向きに突出している。作用片３４１は、ハンドル７により押されることで後方へと移動し、対応するスイッチ５１１を押すように構成されている。つまり、複数の弾性片３４の各々は、複数のスイッチ５１１のうち対応するスイッチ５１１を押す位置と、対応するスイッチ５１１から離れた位置との間で撓み可能に構成されている。
【００３７】
基板５は、上下方向に長い板状に形成されており、スイッチ回路５１が実装されている。スイッチ回路５１は、複数（ここでは、３つ）のスイッチ５１１を有している。本実施形態では、３つのスイッチ５１１は、いずれも表面実装型のタクタイルスイッチである。また、３つのスイッチ５１１は、上から順に、電動シャッタ用の開スイッチ、停止スイッチ、閉スイッチとして機能する。
【００３８】
また、基板５の後面には、一対のコネクタ端子５２が実装されている。各コネクタ端子５２は、基板５の後面から後方へ突出している。各コネクタ端子５２は、スイッチ回路５１からの信号を外部の電気機器（ここでは、電動シャッタの開閉機）に送信するために用いられる。一対のコネクタ端子５２は、それぞれボディ２の一対のコネクタ端子孔２３に挿入されることで、端子ピン５２１をボディ２の外部に露出させた状態でボディ２に保持される（図５Ｂ参照）。
【００３９】
第１取付枠６Ａは、図１に示すように、上下方向に長い矩形の枠状に形成されており、矩形状の開口窓６０を有する。第１取付枠６Ａは、左右方向において開口窓６０を挟んで対向する一対の縦片６１と、上下方向において開口窓６０を挟んで対向する一対の横片６２とを有している。
【００４０】
各横片６２は、長円状の固定孔６２１と、円形状の結合孔６２３とを有している。固定孔６２１は、横片６２を前後方向に貫通しており、埋込ボックス等へ第１取付枠６Ａを固定する固定ねじを通すための孔である。結合孔６２３は、横片６２の前面から前向きに突出した台部６２２において、横片６２を前後方向に貫通して設けられている。結合孔６２３は、配線器具１０Ａ用の化粧プレートを第１取付枠６Ａに固定する固定ねじを通すための孔である。
【００４１】
各縦片６１は、上下方向に間隔を空けて並ぶ第１側片６１１、第２側片６１２、及び第３側片６１３を有している。第１側片６１１、第２側片６１２、及び第３側片６１３は、いずれも上下方向に長い矩形状であって、縦片６１から後方に突出するように縦片６１と一体に形成されている。第１側片６１１には、３つの取付孔６１１Ａ，６１１Ｂ，６１１Ｃが上下方向に並んで設けられている。３つの取付孔６１１Ａ，６１１Ｂ，６１１Ｃは、いずれも縦片６１を左右方向に貫通している。また、３つの取付孔６１１Ａ，６１１Ｂ，６１１Ｃのうち中央の取付孔６１１Ｂは、他の取付孔６１１Ａ，６１１Ｃよりも上下方向の寸法が大きくなっている。
【００４２】
第２側片６１２には、２つの取付孔６１２Ａ，６１２Ｂが上下方向に並んで設けられている。２つの取付孔６１２Ａ，６１２Ｂは、いずれも縦片６１を左右方向に貫通している。第３側片６１３には、３つの取付孔６１３Ａ，６１３Ｂ，６１３Ｃが上下方向に並んで設けられている。３つの取付孔６１３Ａ，６１３Ｂ，６１３Ｃは、いずれも縦片６１を左右方向に貫通している。また、３つの取付孔６１３Ａ，６１３Ｂ，６１３Ｃのうち中央の取付孔６１３Ｂは、他の取付孔６１３Ａ，６１３Ｃよりも上下方向の寸法が大きくなっている。
【００４３】
第２取付枠６Ｂは、図３に示すように、上下方向に長い矩形の枠状に形成されており、矩形状の開口窓６０を有する。第２取付枠６Ｂは、左右方向において開口窓６０を挟んで対向する一対の縦片６３と、上下方向において開口窓６０を挟んで対向する一対の横片６４とを有している。
【００４４】
各横片６４は、長円状の第１固定孔６４１と、円形状の一対の第２固定孔６４２と、円形状の結合孔６４４と、を有している。第１固定孔６４１は、横片６４を前後方向に貫通しており、埋込ボックス等へ第２取付枠６Ｂを固定する固定ねじを通すための孔である。一対の第２固定孔６４２は、それぞれ横片６４を前後方向に貫通しており、第２取付枠６Ｂを施工面に直付けする固定ねじを通すための孔である。結合孔６４４は、横片６４の前面から前向きに突出した台部６４３において、横片６４を前後方向に貫通して設けられている。結合孔６４４は、配線器具１０Ａ用の化粧プレートを第２取付枠６Ｂに固定する固定ねじを通すための孔である。
【００４５】
各縦片６１は、側片６３１を有している。側片６３１は、上下方向に長い矩形状であって、縦片６１から後方に突出するように縦片６１と一体に形成されている。側片６３１には、６つの取付孔６３１Ａ〜６３１Ｆが上下方向に並んで設けられている。
【００４６】
本実施形態では、第１取付枠６Ａ及び第２取付枠６Ｂの開口窓６０は、いずれもハンドル７を上下方向に３個まで並べる取付可能な寸法である。つまり、取付枠６には、１〜３個の範囲の任意の個数のハンドル７を取り付けることができる。ここでは、取付枠６には、３個のハンドル７が取り付けられる。
【００４７】
また、本実施形態では、第１取付枠６Ａの取付孔６１２Ａ，６１２Ｂは、配線器具１０Ａの第１取付突起３１１Ａが嵌る形状を有している。また、第２取付枠６Ｂの取付孔６３１Ｃ，６３１Ｄも、配線器具１０Ａの第１取付突起３１１Ａが嵌る形状を有している。さらに、第１取付枠６Ａの取付孔６１１Ａ，６１１Ｂ，６１３Ａ，６１３Ｂは、配線器具１０Ａの第２取付突起３１１Ｂが嵌る形状を有している。また、第２取付枠６Ｂの取付孔６３１Ａ，６３１Ｂ，６３１Ｅ，６３１Ｆは、配線器具１０Ａの第２取付突起３１１Ｂが嵌る形状を有している。つまり、複数種類の取付枠６（第１取付枠６Ａ及び第２取付枠６Ｂ）は、複数種類の取付枠６で共通する位置に複数の共通取付孔６００を有している。そして、第１取付部３１は、複数の共通取付孔６００にそれぞれ取り付けられる複数の取付突起３１１（第１取付突起３１１Ａ及び第２取付突起３１１Ｂ）を有している。
【００４８】
第１ハンドル７Ａは、図１、図６Ａに示すように、第１ハンドル本体７１と、一対の第１取付爪７２と、一対の軸受７３とを有している。第１ハンドル本体７１は、左右方向に長い矩形板状に形成されている。また、第１ハンドル本体７１は、第１取付枠６Ａの開口窓６０を長手方向（上下方向）において三等分した大きさと略同じ寸法で形成されている。
【００４９】
一対の第１取付爪７２は、第１ハンドル本体７１の長手方向の一端（右端）に一体に形成されており、上下方向に間隔を空けて並んでいる。各第１取付爪７２は、第１ハンドル本体７１の後面から後方に突出している。また、各第１取付爪７２の後端は、配線器具１０Ａの第１保持部４０１に挿入された際に、第１保持部４０１の後端縁に引っ掛かる形状に形成されている。一対の第１取付爪７２は、配線器具１０Ａの筐体１に取り付けられる第１取付構造７０１を構成している。
【００５０】
各軸受７３は、第１ハンドル本体７１の後面において、第１ハンドル本体７１の長手方向の一端（左端）に一体に形成されている。各軸受７３は、所定の形状の軸部３２１を受けるように構成されている。
【００５１】
第１ハンドル本体７１の前面であって、第１ハンドル本体７１の長手方向の一端（右端）には、長円形状の透孔７４が設けられている。透孔７４は、第１ハンドル本体７１を前後方向に貫通している。透孔７４には、例えば透光性を有する部材が埋め込まれる。つまり、配線器具１０Ａがランプ（例えば、発光ダイオード）を有している場合、ランプの発する光を透孔７４を通して外部へ出射させることができる。ユーザは、透孔７４を通してランプの発する光を見ることにより、配線器具１０Ａの状態や位置を確認することができる。配線器具１０Ａがランプを有している場合、カバー３も透光性を有する材料で形成されるのが好ましい。
【００５２】
第１ハンドル本体７１の前面には、左右方向に長い矩形板状の化粧カバー７５が取り付けられる。化粧カバー７５は、ランプの発する光を透過させるために、透光性を有する材料で形成されるのが好ましい。また、化粧カバー７５には、例えば「閉」や「停止」など、ハンドル７に対応する操作を表す文字や記号が記されたプレートが設けられていてもよい。
【００５３】
第２ハンドル７Ｂは、図３、図６Ｂに示すように、第２ハンドル本体７６と、第２取付爪７７と、一対の軸受７３とを有している。各軸受７３は、第１ハンドル７Ａの軸受７３の形状とは一部異なっているが、第１ハンドル７Ａの軸受７３と同様に、所定の形状の軸部３２１を受けるように構成されている。
【００５４】
第２ハンドル本体７６は、左右方向に長い矩形板状に形成されている。また、第２ハンドル本体７６は、第２取付枠６Ｂの開口窓６０を長手方向（上下方向）において三等分した大きさと略同じ寸法で形成されている。また、第２ハンドル本体７６は、第１ハンドル本体７１よりも上下方向の寸法が大きくなっている。
【００５５】
第２取付爪７７は、第２ハンドル本体７６の長手方向の一端（右端）における上下方向の中央部に一体に形成されている。第２取付爪７７は、第２ハンドル本体７６の後面から後方に突出している。また、第２取付爪７７の後端は、配線器具１０Ａの第２保持部４０２に挿入された際に、第２保持部４０２の後端縁に引っ掛かる形状に形成されている。第２取付爪７７は、配線器具１０Ａに取り付けられる第２取付構造７０２を構成している。
【００５６】
このように、複数種類のハンドル７（ここでは、第１ハンドル７Ａ及び第２ハンドル７Ｂ）の各々は、第１端（左端）に所定の形状の軸部３２１を受ける軸受７３を有し、第２端（右端）に１以上の取付爪７０を有している。
【００５７】
（３）第２取付部の保持構造
以下、第２取付部３２の保持構造４について詳細に説明する。第２取付部３２は、既に述べたように、複数（ここでは、３つ）の保持部４０を有しており、これら３つの保持部４０の組み合わせにより、第１保持構造４１と、第２保持構造４２とが構成されている。
具体的には、３つの保持部４０は、筐体１に上下方向に沿った一列に並ぶように形成されている。また、３つの保持部４０のうち上下両側の保持部４０は、それぞれ第１ハンドル７Ａの第１取付爪７２が挿入される第１保持部４０１である。そして、これら２つの第１保持部４０１により、第１保持構造４１が構成されている。また、３つの保持部４０のうち中央の保持部４０は、第２ハンドル７Ｂの第２取付爪７７が挿入される第２保持部４０２である。そして、第２保持部４０２により、第２保持構造４２が構成されている。
【００５８】
ここで、本実施形態では、複数種類のハンドル７（ここでは、第１ハンドル７Ａ及び第２ハンドル７Ｂ）は、いずれも所定の形状の１以上の取付爪７０を有している。言い換えれば、第１ハンドル７Ａの一対の第１取付爪７２と、第２ハンドル７Ｂの第２取付爪７７とは、いずれも同じ規格に沿った所定の形状で形成されている。
【００５９】
そして、本実施形態では、各保持部４０は、所定の形状の取付爪７０が取り付けられる構造を有している。つまり、本実施形態では、保持部４０は、第１取付爪７２及び第２取付爪７７のいずれも取付可能な共通保持部４０である。言い換えれば、複数種類の保持構造４の各々の１以上の保持部４０は、筐体１に一列に並ぶように形成された３つ以上の共通保持部４０から選択される１以上の共通保持部４０である。さらに言い換えれば、第１保持構造４１及び第２保持構造４２は、いずれも１以上の共通保持部４０により構成されている。
【００６０】
（４）配線器具システムの組立方法
本実施形態の配線器具システム１００は、以下のようにして組み立てられる。最初に、第１配線器具システム１００Ａの組立方法について説明する。まず、図７Ａに示すように、ユーザは、配線器具１０Ａの２対の第２取付突起３１１Ｂのうち一方の対の第２取付突起３１１Ｂを、第１取付枠６Ａの左側の第１側片６１１の取付孔６１１Ａ，６１１Ｂに嵌め合わせる。また、ユーザは、他方の対の第２取付突起３１１Ｂを、第１取付枠６Ａの左側の第３側片６１３の取付孔６１３Ａ，６１３Ｂに嵌め合わせる。そして、図７Ｂに示すように、ユーザは、配線器具１０Ａの一対の第１取付突起３１１Ａを、第１取付枠６Ａの右側の第２側片６１２の取付孔６１２Ａ，６１２Ｂに嵌め合わせる。これにより、配線器具１０Ａが第１取付枠６Ａに取り付けられる。
【００６１】
そして、ユーザは、複数の第１ハンドル７Ａを、それぞれ複数の第２取付部３２に取り付ける。ここでは、１つの第１ハンドル７Ａを１つの第２取付部３２に取り付ける場合についてのみ説明する。まず、ユーザは、第１ハンドル７Ａの一対の軸受７３に、配線器具１０Ａの一対の軸部３２１をそれぞれ嵌め合わせる。次に、ユーザは、第１ハンドル７Ａの一対の第１取付爪７２を、配線器具１０Ａの一対の第１保持部４０１にそれぞれ挿入する。これにより、第１ハンドル７Ａが配線器具１０Ａに取り付けられる。
【００６２】
上述のように、ユーザが、配線器具１０Ａを第１取付枠６Ａに取り付ける手順と、配線器具１０Ａに複数の第１ハンドル７Ａを取り付ける手順とを踏むことにより、第１配線器具システム１００Ａが組み立てられる。
【００６３】
次に、第２配線器具システム１００Ｂの組立方法について説明する。まず、図８Ａに示すように、ユーザは、配線器具１０Ａの２対の第２取付突起３１１Ｂのうち一方の対の第２取付突起３１１Ｂを、第２取付枠６Ｂの左側の側片６３１の取付孔６３１Ａ，６３１Ｂに嵌め合わせる。また、ユーザは、他方の対の第２取付突起３１１Ｂを、第２取付枠６Ｂの左側の側片６３１の取付孔６３１Ｅ，６３１Ｆに嵌め合わせる。そして、図８Ｂに示すように、ユーザは、配線器具１０Ａの一対の第１取付突起３１１Ａを、第２取付枠６Ｂの右側の側片６３１の取付孔６３１Ｃ，６３１Ｄに嵌め合わせる。これにより、配線器具１０Ａが第２取付枠６Ｂに取り付けられる。
【００６４】
そして、ユーザは、複数の第２ハンドル７Ｂを、それぞれ複数の第２取付部３２に取り付ける。ここでは、１つの第２ハンドル７Ｂを１つの第２取付部３２に取り付ける場合についてのみ説明する。まず、ユーザは、第２ハンドル７Ｂの一対の軸受７３に、配線器具１０Ａの一対の軸部３２１をそれぞれ嵌め合わせる。次に、ユーザは、第２ハンドル７Ｂの第２取付爪７７を、配線器具１０Ａの第２保持部４０２に挿入する。これにより、第２ハンドル７Ｂが配線器具１０Ａに取り付けられる。
【００６５】
上述のように、ユーザが、配線器具１０Ａを第２取付枠６Ｂに取り付ける手順と、配線器具１０Ａに複数の第２ハンドル７Ｂを取り付ける手順とを踏むことにより、第２配線器具システム１００Ｂが組み立てられる。
【００６６】
（５）効果
本実施形態の配線器具１０Ａは、ハンドル７が取り付けられる第２取付部３２を複数備えている。また、複数の第２取付部３２の各々は、複数種類のハンドル７の取付構造７００をそれぞれ保持する複数種類の保持構造４を有している。そして、複数種類の保持構造４の各々は、対応するハンドル７の１以上の取付爪７０を保持する１以上の保持部４０を有している。
【００６７】
このため、本実施形態の配線器具１０Ａでは、複数種類のハンドル７から選択された任意のハンドル７を取り付けることが可能である。具体的には、配線器具１０Ａの筐体１には、第１ハンドル７Ａを取り付けることが可能であり、また、第２ハンドル７Ｂを取り付けることが可能である。さらに、配線器具１０Ａの筐体１には、第１ハンドル７Ａと第２ハンドル７Ｂとを混在させて取り付けることも可能である。このように、本実施形態の配線器具１０Ａは、ハンドル７の取付の自由度を向上することができる。
【００６８】
また、本実施形態の配線器具１０Ａでは、筐体１は、第１取付部３１により取付枠６に取り付けられる構成であり、取付枠６と一体に形成されていない。このため、本実施形態の配線器具１０Ａを用いた配線器具システム１００では、取付枠６に外部からの応力が掛かるため、筐体１が必要とする強度が低くて済む。したがって、本実施形態の配線器具１０Ａでは、筐体１に例えばガラス繊維等を混ぜて強度を高める必要がなく、筐体１の製造が容易であり、かつ、筐体１の製造コストを低減することができる。
【００６９】
さらに、本実施形態の配線器具１０Ａでは、弾性片３４を介してスイッチ５１１を操作する構成であるため、復帰ばねが不要である。従来の配線器具の中には、ハンドルがスイッチを操作するために必要なストローク量を大きくすることで、ハンドルの操作感を和らげる構成を備えた配線器具があった。そして、このような配線器具（以下、「比較例の配線器具」という）では、押し込んだハンドルを元の位置に復帰させるために復帰ばねを用いていた。
【００７０】
比較例の配線器具では、ハンドルを十分に押し込まなければスイッチを操作することが難しい。これに対して、本実施形態の配線器具１０Ａでは、比較的小さいストローク量でハンドル７を押し込むだけでスイッチ５１１を操作することができる。また、比較例の配線器具では、ハンドルの軸受がある一端と反対側の一端の狭い範囲を押し込まなければスイッチを操作し難い。これに対して、本実施形態の配線器具１０Ａでは、ハンドル７の支点側の一端を除いた略全部のいずれの部位を押し込んでもスイッチ５１１を操作し易い。つまり、本実施形態の配線器具１０Ａでは、比較例の配線器具と比較してハンドル７の操作性を向上することができる。
【００７１】
＜変形例＞
ところで、本実施形態の配線器具１０Ａでは、スイッチ回路５１の信号送信用の端子としてコネクタ端子５２を用いているが、他の構成であってもよい。例えば図９、図１０に示すように、配線器具１０Ａは、コネクタ端子５２の代わりに、１以上の（ここでは、４つ）のねじ端子５３を有していてもよい。この場合、ボディ２は、一対のコネクタ端子孔２３の代わりに、４つのねじ端子孔２５を備える。各ねじ端子孔２５は、ボディ２を前後方向に貫通している。そして、４つのねじ端子５３は、それぞれボディ２の４つのねじ端子孔２５に挿入されることで、頭部５３１をボディ２の外部に露出させた状態でボディ２に保持される。また、各ねじ端子５３は、導線５３２により基板５のスイッチ回路５１に電気的に接続される。
【００７２】
また、本実施形態では、筐体１は３つの第２取付部３２を有しているが、他の構成であってもよい。例えば、筐体１は、２つの第２取付部３２を有していてもよいし、４つ以上の第２取付部３２を有していてもよい。この場合、取付枠６には、第２取付部３２の数、つまり筐体１に取付可能なハンドル７の数に応じた寸法の開口窓６０を有する取付枠６が選択される。
【００７３】
また、本実施形態では、第１ハンドル７Ａの第１取付爪７２と、第２ハンドル７Ｂの第２取付爪７７とは、いずれも第１保持部４０１及び第２保持部４０２の両方に挿入可能な所定の形状を有しているが、他の構成であってもよい。例えば、第１取付爪７２は、第１保持部４０１のみに挿入可能であり、第２保持部４０２には挿入できない形状を有していてもよい。同様に、第２取付爪７７は、第２保持部４０２のみに挿入可能であり、第１保持部４０１には挿入できない形状を有していてもよい。
【００７４】
つまり、本実施形態では、第１保持部４０１及び第２保持部４０２は、いずれも第１取付爪７２及び第２取付爪７７の両方を保持可能な共通保持部４０であるが、他の構成であってもよい。例えば、第１保持部４０１は、第１取付爪７２のみを受け付ける形状を有していてもよい。同様に、第２保持部４０２は、第２取付爪７７のみを受け付ける形状を有していてもよい。
【００７５】
また、本実施形態では、第１保持構造４１は、２つの第１保持部４０１を有しているが、１つの第１保持部４０１のみを有していてもよいし、３以上の第１保持部４０１を有していてもよい。また、第２保持構造４２は、１つの第２保持部４０２を有しているが、２以上の第２保持部４０２を有していてもよい。
【００７６】
また、本実施形態では、保持部４０は、取付爪７０が挿入される孔であるが、他の構成であってもよい。例えば、保持部４０は、取付爪７０が引掛けられる構成であってもよい。つまり、保持部４０は、取付爪７０が取り付けられる構成であればよい。
【００７７】
また、本実施形態では、第１取付部３１は、２種類の取付枠６（第１取付枠６Ａ及び第２取付枠６Ｂ）に取付可能な構成であるが、他の構成であってもよい。例えば、第１取付部３１は、３種類以上の取付枠６に取付可能な構成であってもよい。
【００７８】
また、本実施形態では、複数の第２取付部３２の各々は、２種類のハンドル７（第１ハンドル７Ａ及び第２ハンドル７Ｂ）を取付可能な構成であるが、他の構成であってもよい。例えば、複数の第２取付部３２の各々は、３種類以上のハンドル７を取付可能な構成であってもよい。
【００７９】
また、本実施形態では、配線器具１０Ａの上下を逆にした状態で、配線器具１０Ａが取付枠６に取り付けられていてもよい。一例として、配線器具１０Ａの上下を逆にした状態で、配線器具１０Ａを第１取付枠６Ａに取り付ける場合を説明する。この場合、一対の第１取付突起３１１Ａは、第１取付枠６Ａの左側の第２側片６１２の取付孔６１２Ａ，６１２Ｂに嵌め合わされる。また、この場合、２対の第２取付突起３１１Ｂのうち一方の対の第２取付突起３１１Ｂは、第１取付枠６Ａの右側の第１側片６１１の取付孔６１１Ａ，６１１Ｂに嵌め合わされる。そして、他方の対の第２取付突起３１１Ｂは、第１取付枠６Ａの右側の第３側片６１３の取付孔６１３Ｂ，６１３Ｃに嵌め合わされる。
【００８０】
また、本実施形態では、電動シャッタ用スイッチを配線器具１０Ａの一例として挙げているが、これに限定する趣旨ではない。つまり、本実施形態の配線器具１０Ａは、例えば照明器具用スイッチなどであってもよい。また、本実施形態では、スイッチ回路５１の有するスイッチ５１１は、タクタイルスイッチであるが、これに限定する趣旨ではない。例えば、スイッチ５１１は、単なる接点で構成されていてもよい。
【００８１】
（実施形態２）
以下、実施形態２に係る配線器具１０Ｂについて図１１、図１２Ａ、及び図１２Ｂを用いて説明する。ただし、本実施形態の配線器具１０Ｂの基本的な構成は、実施形態１の配線器具１０Ａ（変形例を含む）と共通するので、共通する部位には同一の符号を付して説明を省略する。また、本実施形態の配線器具１０Ｂも、実施形態１の配線器具１０Ａと同様に、第１取付枠６Ａと、複数の第１ハンドル７Ａとで第１配線器具システム１００Ａを構成する。また、配線器具１０Ｂは、第２取付枠６Ｂと、複数の第２ハンドル７Ｂとで第２配線器具システム１００Ｂを構成する。
【００８２】
本実施形態の配線器具１０Ｂでは、筐体１は、ボディ２及びカバー３の代わりに、一面（上面）に開口部８１を有するベース８と、ベース８に取り付けられて開口部８１を塞ぐ複数（ここでは、３つ）のスイッチカバー９とを備えている。
【００８３】
ベース８は、上下方向に長い直方体状に形成されており、その内部には、基板５が収納される。つまり、ベース８は、スイッチ回路５１が収納される空間を有している。ベース８の短手方向の一端側（右側）の内壁には、複数（ここでは、３つ）の保持突起８２が一体に形成されている。３つの保持突起８２は、ベース８の長手方向（上下方向）に並んで設けられており、３つのスイッチカバー９と１対１に対応する位置に設けられている。各保持突起８２は、左向きに突出しており、スイッチカバー９の引掛け片９３（後述する）が引掛けられる形状に形成されている。
【００８４】
ベース８の内部において、ベース８の後壁には、複数（ここでは、４つ）の保持片８３が一体に形成されている。４つの保持片８３は、前向きに突出しており、ベース８の長手方向（上下方向）に並んで設けられている。各保持片８３の前端は、基板５の一端縁（右端縁）に引っ掛かる形状に形成されている。基板５は、４つの保持片８３に保持されることにより、ベース８内で固定される。
【００８５】
ベース８の短手方向の他端側（左側）の内壁には、複数対（ここでは、３対）の取付凹部８４が設けられている。３対の取付凹部８４は、ベース８の長手方向（上下方向）に並んで設けられており、３つのスイッチカバー９と１対１に対応する位置に設けられている。各取付凹部８４は、後向きに窪んでおり、スイッチカバー９の突部９２（後述する）が嵌る形状に形成されている。
【００８６】
ベース８の上下方向における中央部には、一対のコネクタ端子孔８５が設けられている。各コネクタ端子孔８５は、前方から見て矩形状であり、ベース８を前後方向に貫通している。一対のコネクタ端子孔８５には、それぞれ一対のコネクタ端子５２が挿入される。
【００８７】
各スイッチカバー９は、左右方向に長い矩形板状に形成されている。各スイッチカバー９の長手方向の第１端（左端）には、一対の突部９２が一体に形成されている。一対の突部９２は、それぞれスイッチカバー９の短手方向（上下方向）の両端に設けられている。各スイッチカバー９の長手方向の第２端（右端）には、引掛け片９３が一体に形成されている。引掛け片９３は、スイッチカバー９の右壁に一対のスリットを設けることにより、左右方向に撓み可能に形成されている。
【００８８】
各スイッチカバー９は、一対の突部９２を、ベース８の対応する一対の取付凹部８４に嵌め合わせ、かつ、引掛け片９３をベース８の対応する保持突起８２に引掛けることにより、ベース８に保持される。そして、各スイッチカバー９は、ベース８に保持された状態で、一対の突部９２を支点として所定の範囲を回転可能となっている。また、各スイッチカバー９は、前後方向において、ベース８との間で基板５を挟むようにベース８に保持される。そして、各スイッチカバー９は、対応するハンドル７が押し込まれることで後方に移動し、対応するスイッチ５１１を押すように構成されている。つまり、本実施形態では、複数のスイッチカバー９の各々は、複数のスイッチ５１１のうち対応するスイッチ５１１を直接押す位置に設けられている。
【００８９】
本実施形態の配線器具１０Ｂでは、第１取付部３１及び複数の第２取付部３２は、カバー３に設けられる代わりに、ベース８に設けられている。したがって、本実施形態の配線器具１０Ｂは、実施形態１の配線器具１０Ａと同様に、ハンドル７の取付の自由度を向上することができる。
【００９０】
＜変形例＞
ところで、本実施形態の配線器具１０Ｂは、例えば図１３、図１４に示すように、コネクタ端子５２の代わりに、１以上の（ここでは、４つ）のねじ端子５３を有していてもよい。この場合、ベース８は、一対のコネクタ端子孔８５の代わりに、４つのねじ端子孔８６を備える。各ねじ端子孔８６は、ベース８を前後方向に貫通している。そして、４つのねじ端子５３は、それぞれベース８の４つのねじ端子孔８６に挿入されることで、頭部５３１をベース８の外部に露出させた状態でベース８に保持される。また、各ねじ端子５３は、導線５３２により基板５のスイッチ回路５１に電気的に接続される。
【００９１】
（実施形態３）
以下、実施形態３に係る配線器具１０Ｃについて図１５〜図１７Ｃを用いて説明する。ただし、本実施形態の配線器具１０Ｃの基本的な構成は、実施形態１の配線器具１０Ａ（変形例を含む）と共通するので、共通する部位には同一の符号を付して説明を省略する。また、本実施形態の配線器具１０Ｃも、実施形態１の配線器具１０Ａと同様に、第１取付枠６Ａと、複数の第１ハンドル７Ａとで第１配線器具システム１００Ａを構成する。また、配線器具１０Ｃは、第２取付枠６Ｂと、複数の第２ハンドル７Ｂとで第２配線器具システム１００Ｂを構成する。
【００９２】
本実施形態の配線器具１０Ｃでは、図１５及び図１６に示すように、複数（ここでは、３つ）の弾性片３４Ａの各々は、実施形態１の弾性片３４とは異なり、作用片３４１を有する代わりに、作用部３４２と、押部３４３と、繋ぎ部３４４とを有している。なお、図１５は、配線器具１０Ｃのカバー３のみを示している。ここで、本実施形態のカバー３は、実施形態１のカバー３と若干形状が異なっているが、ストッパ３７を除いて、実施形態１のカバー３と同等の機能を有している。ストッパ３７は、カバー３の前壁の右端に一体に形成されており、上下方向にわたって前向きに突出している。また、図示を省略しているが、本実施形態のボディ２は、本実施形態のカバー３の形状に合わせた形状となっている。ただし、本実施形態のボディ２は、実施形態１のボディ２と同等の機能を有している。
【００９３】
作用部３４２は、上下方向に長い矩形の枠状に形成されており、前後方向に貫通する矩形状の開口部３４５を有している。作用部３４２は、弾性片３４Ａの第１端（左端）３４０を支点として撓み可能に構成されている。そして、作用部３４２は、実施形態１の作用片３４１と同様に、ハンドル７により押されることで後方へと移動するように構成されている。
【００９４】
押部３４３は、上下方向に長い矩形状であって、前後方向において開口部３４５と重なるように設けられている。押部３４３の後端には、後向きに突出する半球状の突部３４６が一体に形成されている。押部３４３は、ハンドル７により作用部３４２の後方への移動に伴って後方へと移動し、突部３４６を介して対応する５１１を押すように構成されている。つまり、押部３４３は、対応するスイッチ５１１に接する位置と、対応するスイッチ５１１から離れた位置との間で移動可能に構成されている。
【００９５】
繋ぎ部３４４は、作用部３４２及び押部３４３と一体に形成されている。言い換えれば、繋ぎ部３４４は、作用部３４２と押部３４３とを繋いでいる。つまり、押部３４３は、繋ぎ部３４４を介してのみ作用部３４２と繋がっている。３つの弾性片３４Ａのうち上側の２つの弾性片３４Ａでは、繋ぎ部３４４は、作用部３４２の下端と押部３４３の下端とを繋いでいる。また、残りの１つの弾性片３４Ａでは、繋ぎ部３４４は、作用部３４２の上端と押部３４３の上端とを繋いでいる。
【００９６】
そして、押部３４３は、繋ぎ部３４４を支点として前後方向に撓み可能に構成されている。つまり、本実施形態の弾性片３４では、作用部３４２が第１端（左端）３４０を支点として撓み可能であり、かつ、押部３４３が繋ぎ部３４４を支点として撓み可能である。本実施形態では、押部３４３は、繋ぎ部３４４を支点として前方に撓むときに、開口部３４５の内側を移動するように構成されている。
【００９７】
以下、本実施形態の弾性片３４Ａの動作を説明するに当たり、まず、比較例として、実施形態１の弾性片３４の構成及び動作について説明する。弾性片３４では、作用片３４１は、図１８に示すように、第１端３４０を支点として、対応するスイッチ５１１を押す位置と、対応するスイッチ５１１から離れた位置との間で撓み可能に構成されている。つまり、弾性片３４は、第１端３４０を支点としてのみ撓み可能である。
【００９８】
図１９Ａは、ハンドル７が押し込まれる前の弾性片３４の状態を示している。この状態においてハンドル７が押し込まれると、作用片３４１は、ハンドル７に押されることにより、第１端３４０を支点として後方へと撓む。すると、図１９Ｂに示すように、作用片３４１の後端が対応するスイッチ５１１を押すことで、対応するスイッチ５１１が操作される。
【００９９】
ここで、図１９Ｂの状態からハンドル７がさらに押し込まれる場合がある。この場合、作用片３４１は、ハンドル７に押されることにより、第１端３４０を支点としてさらに後方へと移動しようとする。すると、弾性片３４のストロークを吸収する機構を対応するスイッチ５１１が備えていない場合、つまり対応するスイッチ５１１がオーバートラベルを許容していない場合、対応するスイッチ５１１に過大な荷重が掛かる可能性がある。
【０１００】
次に、本実施形態の弾性片３４Ａの動作について説明する。図１７Ａは、ハンドル７が押し込まれる前の弾性片３４Ａの状態を示している。この状態においてハンドル７が押し込まれると、作用部３４２は、ハンドル７に押されることにより、第１端３４０を支点として後方へと撓む。すると、図１７Ｂに示すように、押部３４３（突部３４６）が対応するスイッチ５１１に接し、対応するスイッチ５１１を押すことで、対応するスイッチ５１１が操作される。ここで、図１７Ｂの状態からハンドル７がさらに押し込まれた場合、図１７Ｃに示すように、押部３４３は、繋ぎ部３４４を支点として前方に撓むことにより、スイッチ５１１に接する位置（図１７Ｃにおいて想像線で示す位置）から前方に移動する。つまり、ハンドル７が押し込まれることで作用部３４２に作用する力が、押部３４３が撓むことにより吸収される。
【０１０１】
上述のように、本実施形態の弾性片３４Ａは、実施形態１の弾性片３４と比較して、ハンドル７が押し込まれることで弾性片３４Ａに作用する力を吸収することができる。したがって、本実施形態の配線器具１０Ｃでは、ハンドル７が押し込まれたときに、対応するスイッチ５１１が弾性片３４Ａのストロークを吸収する機構を有していなくても、対応するスイッチ５１１に過大な荷重が掛かり難い。つまり、本実施形態の配線器具１０Ｃでは、ハンドル７が押し込まれることでスイッチ５１１に掛かる応力を低減することができ、スイッチ５１１の長寿命化を図ることが可能である。
【０１０２】
また、本実施形態では、カバー３は、ストッパ３７を有している。このため、本実施形態では、図１７Ｃに示すように、ストッパ３７は、ハンドル７に接することにより、ハンドル７の後方への移動を規制している。つまり、本実施形態の配線器具１０Ｃでは、ストッパ３７によりハンドル７の過大な押し込みが規制されているので、ハンドル７が押し込まれることでスイッチ５１１に掛かる応力をより低減することができる。もちろん、カバー３がストッパ３７を有していなくても、弾性片３４Ａのみでスイッチ５１１に掛かる応力を低減することが可能である。
【０１０３】
＜変形例＞
ところで、本実施形態では、弾性片３４Ａの押部３４３は、上下方向の一端にある繋ぎ部３４４を支点として撓み可能な構造、いわゆる片持ち梁構造であるが、他の構造であってもよい。例えば、弾性片３４Ａが２つの繋ぎ部３４４を有していてもよい。そして、押部３４３は、上下方向の両端にある２つの繋ぎ部３４４に支持された状態で撓み可能な構造であってもよい。つまり、押部３４３は、繋ぎ部３４４を支点として撓み可能な構造であればよい。
【０１０４】
（まとめ）
以上述べたように、第１の態様の配線器具（１０Ａ，１０Ｂ，１０Ｃ）は、複数のスイッチ（５１１）を有するスイッチ回路（５１）を収納する筐体（１）を備える。筐体（１）は、第１取付部（３１）と、複数の第２取付部（３２）とを有する。第１取付部（３１）には、取付枠（６）が取り付けられる。複数の第２取付部（３２）には、複数のスイッチ（５１１）を操作するための複数のハンドル（７）がそれぞれ取り付けられる。複数のハンドル（７）の各々は、複数種類のハンドル（７）のうちの１つである。複数種類のハンドル（７）では、１以上の取付爪（７０）を有して筐体（１）に取り付けられる取付構造（７００）が互いに異なる。複数の第２取付部（３２）の各々は、複数種類のハンドル（７）の取付構造（７００）をそれぞれ保持する複数種類の保持構造（４）を有する。複数種類の保持構造（４）の各々は、複数種類のハンドル（７）の取付構造（７００）のうち対応する取付構造（７００）の有する１以上の取付爪（７０）を保持する１以上の保持部（４０）を有する。
【０１０５】
この構成によると、複数種類のハンドル（７）から選択された任意のハンドル（７）を取り付けることができるので、ハンドル（７）の取付の自由度を向上することができる。
【０１０６】
また、第２の態様の配線器具（１０Ａ，１０Ｂ，１０Ｃ）では、第１の態様において、複数種類のハンドル（７）の各々は、第１端に所定の形状の軸部（３２１）を受ける軸受（７３）を有し、第２端に前記１以上の取付爪（７０）を有する。複数の第２取付部（３２）の各々は、所定の形状の軸部（３２１）を有する。
【０１０７】
この構成によると、複数種類のハンドル（７）ごとに形状が異なる軸部を有する場合と比較して、配線器具（１０Ａ，１０Ｂ，１０Ｃ）の製造が容易であり、製造コストを低減することができる。ただし、この構成は必須ではなく、複数の第２取付部（３２）の各々は、複数種類のハンドル（７）ごとに形状が異なる軸部を有していてもよい。
【０１０８】
また、第３の態様の配線器具（１０Ａ，１０Ｂ，１０Ｃ）では、第１又は第２の態様において、複数種類の保持構造（４）の各々の１以上の保持部（４０）は、以下のように構成されている。すなわち、１以上の保持部（４０）は、筐体（１）に一列に並ぶように形成された３つ以上の共通保持部（４０）から選択される１以上の共通保持部（４０）である。
【０１０９】
この構成によると、複数種類の保持構造（４）ごとに異なる保持部（４０）を設ける場合と比較して、配線器具（１０Ａ，１０Ｂ，１０Ｃ）の製造が容易であり、製造コストを低減することができる。ただし、この構成は必須ではなく、複数の第２取付部（３２）の各々は、複数種類の保持構造（４）ごとに異なる保持部（４０）を有していてもよい。
【０１１０】
また、第４の態様の配線器具（１０Ａ，１０Ｃ）では、第１〜第３のいずれかの態様において、筐体（１）は、ボディ（２）と、カバー（３）とを備える。ボディ（２）は、一面に開口部（２１）を有してスイッチ回路（５１）が収納される空間を有する。カバー（３）は、ボディ（２）に取り付けられて開口部（２１）を塞ぐ。第１取付部（３１）及び複数の第２取付部（３２）は、カバー（３）に設けられる。カバー（３）は、複数の第２取付部（３２）と１対１に対応する複数の弾性片（３４，３４Ａ）を有する。複数の弾性片（３４，３４Ａ）の各々は、複数のスイッチ（５１１）のうち対応するスイッチ（５１１）を押す位置と、対応するスイッチ（５１１）から離れた位置との間で撓み可能に構成される。
【０１１１】
この構成によると、簡易な構成で、第１取付部（３１）及び複数の第２取付部（３２）を備えた筐体（１）を実現することができる。ただし、この構成は必須ではなく、筐体（１）は、第１取付部（３１）及び複数の第２取付部（３２）を備えていれば、他の構成であってもよい。また、この構成では、ハンドル（７）を元の位置に復帰させるための復帰ばねが不要であり、比較的小さいストローク量でハンドル（７）を押し込むだけでスイッチ（５１１）を操作することができる。さらに、この構成では、ハンドル（７）の支点側の一端を除いた略全部のいずれの部位を押し込んでもスイッチ（５１１）を操作し易く、ハンドル（７）の操作性を向上することができる。ただし、この構成は必須ではなく、弾性片（３４，３４Ａ）の代わりに、復帰ばねを用いてハンドル（７）に加えられた力をスイッチ（５１１）に伝達する構成を有していてもよい。
【０１１２】
また、第５の態様の配線器具（１０Ｃ）では、第４の態様において、複数の弾性片（３４Ａ）の各々は、作用部（３４２）と、押部（３４３）と、繋ぎ部（３４４）とを有する。作用部（３４２）には、対応するスイッチ（５１１）を押す力が作用する。押部（３４３）は、対応するスイッチ（５１１）に接する位置と、対応するスイッチ（５１１）から離れた位置との間で移動可能である。繋ぎ部（３４４）は、作用部（３４２）と押部（３４３）とを繋ぐ。押部（３４３）は、繋ぎ部（３４４）を支点として撓み可能である。
【０１１３】
この構成によると、ハンドル（７）を押し込んだときに、このハンドル（７）と対応するスイッチ（５１１）に過大な荷重が掛かり難い。ただし、この構成は必須ではなく、弾性片（３４）は、作用部（３４２）と、押部（３４３）と、繋ぎ部（３４４）とを有していなくてもよい。
【０１１４】
また、第６の態様の配線器具（１０Ｂ）では、第１〜第３のいずれかの態様において、筐体（１）は、ベース（８）と、複数のスイッチカバー（９）とを備える。ベース（８）は、一面に開口部（８１）を有してスイッチ回路（５１）が収納される空間を有する。複数のスイッチカバー（９）は、ベース（８）に取り付けられて複数の第２取付部（３２）と１対１に対応して開口部（８１）を塞ぐ。第１取付部（３１）及び複数の第２取付部（３２）は、ベース（８）に設けられる。
【０１１５】
この構成によると、簡易な構成で、第１取付部（３１）及び複数の第２取付部（３２）を備えた筐体（１）を実現することができる。ただし、この構成は必須ではなく、筐体（１）は、第１取付部（３１）及び複数の第２取付部（３２）を備えていれば、他の構成であってもよい。
【０１１６】
また、第７の態様の配線器具（１０Ｂ）では、第６の態様において、複数のスイッチカバー（９）の各々は、複数のスイッチ（５１１）のうち対応するスイッチ（５１１）を直接押す位置に設けられる。
【０１１７】
この構成によると、ハンドル（７）を元の位置に復帰させるための復帰ばねが不要であり、比較的小さいストローク量でハンドル（７）を押し込むだけでスイッチ（５１１）を操作することができる。また、この構成では、ハンドル（７）の支点側の一端を除いた略全部のいずれの部位を押し込んでもスイッチ（５１１）を操作し易く、ハンドル（７）の操作性を向上することができる。ただし、この構成は必須ではなく、複数のスイッチカバー（９）の各々には、復帰ばねが設けられていてもよい。
【０１１８】
また、第８の態様の配線器具（１０Ａ，１０Ｂ，１０Ｃ）では、第１〜第７のいずれかの態様において、取付枠（６）は、複数種類の取付枠（６）のうちの１つである。複数種類の取付枠（６）は、複数種類の取付枠（６）で共通する位置に複数の共通取付孔（６００）を有する。第１取付部（３１）は、複数の共通取付孔（６００）にそれぞれ取り付けられる複数の取付突起（３１１）を有する。
【０１１９】
この構成によると、複数種類の取付枠（６）から選択された任意の取付枠（６）に配線器具（１０Ａ，１０Ｂ，１０Ｃ）を取り付けることができる。具体的には、配線器具（１０Ａ，１０Ｂ，１０Ｃ）は、第１取付枠（６Ａ）に取り付けることが可能であり、また、第２取付枠（６Ｂ）に取り付けることも可能である。したがって、この構成では、複数種類の取付枠（６）ごとに専用の筐体（１）を製造する必要がないので、筐体（１）の製造が容易であり、製造コストを低減することができる。ただし、この構成は必須ではなく、配線器具（１０Ａ，１０Ｂ，１０Ｃ）は、１種類の取付枠（６）のみに取付可能であってもよい。
【０１２０】
また、第９の態様の配線器具（１０Ａ，１０Ｂ，１０Ｃ）では、第１〜第８のいずれかの態様において、複数の取付突起（３１１）は、１以上の第１取付突起（３１１Ａ）と、１以上の第２取付突起（３１１Ｂ）とで構成される。１以上の第１取付突起（３１１Ａ）は、複数の共通取付孔（６００）のうち取付枠（６）の第１端に設けられた１以上の共通取付孔（６００）に取り付けられる。１以上の第２取付突起（３１１Ｂ）は、複数の共通取付孔（６００）のうち取付枠（６）の第２端に設けられた１以上の共通取付孔（６００）に取り付けられる。１以上の第１取付突起（３１１Ａ）及び１以上の第２取付突起（３１１Ｂ）の少なくとも一方は、複数の共通取付孔（６００）のうち対応する共通取付孔（６００）に引っ掛かる位置と、対応する共通取付孔（６００）から離れた位置との間で撓み可能に構成される。
【０１２１】
この構成によると、例えばマイナスドライバなどの治具、又は手の爪を利用して第１取付突起（３１１Ａ）（又は第２取付突起（３１１Ｂ））を撓ませることで、配線器具（１０Ａ，１０Ｂ，１０Ｃ）を取付枠（６）から外し易くなる。また、本実施形態では、撓み可能な一対の第１取付突起（３１１Ａ）が形成されている部位にリブ（３１３）が設けられている。このため、本実施形態では、リブ（３１３）を押し込むことにより、第１取付突起（３１１Ａ）を撓ませ易い。ただし、この構成は必須ではなく、第１取付突起（３１１Ａ）及び第２取付突起（３１１Ｂ）を撓み可能に構成するか否かは任意である。もちろん、リブ（３１３）を備えるか否かも任意である。
【０１２２】
また、第１０の態様の配線器具システム（１００）は、第１〜第９のいずれかの態様の配線器具（１０Ａ，１０Ｂ，１０Ｃ）と、取付枠（６）と、複数のハンドル（７）とを備える。取付枠（６）には、配線器具（１０Ａ，１０Ｂ，１０Ｃ）が取り付けられる。複数のハンドル（７）は、配線器具（１０Ａ，１０Ｂ，１０Ｃ）に取り付けられる。
【０１２３】
この構成によると、ハンドル（７）の取付の自由度を向上することのできる配線器具システム（１００）を実現することができる。
【０１２４】
第５の態様については、それ単独でも実施し得る態様であって、第１の態様を前提とすることは必須ではない。すなわち、第５の態様の配線器具（１０Ｃ）は、複数のスイッチ（５１１）を有するスイッチ回路（５１）を収納する筐体（１）を備える。筐体（１）は、ボディ（２）と、カバー（３）とを備える。ボディ（２）は、一面に開口部（２１）を有してスイッチ回路（５１）が収納される空間を有する。カバー（３）は、ボディ（２）に取り付けられて開口部（２１）を塞ぐ。カバー（３）には、複数のスイッチ（５１１）を操作するための複数のハンドル（７）が取り付けられる。カバー（３）は、複数のハンドル（７）と１対１に対応する複数の弾性片（３４Ａ）を有する。複数の弾性片（３４Ａ）の各々は、複数のスイッチ（５１１）のうち対応するスイッチ（５１１）を押す位置と、対応するスイッチ（５１１）から離れた位置との間で撓み可能に構成されている。複数の弾性片（３４Ａ）の各々は、作用部（３４２）と、押部（３４３）と、繋ぎ部（３４４）とを有する。作用部（３４２）には、対応するスイッチ（５１１）を押す力が作用する。押部（３４３）は、対応するスイッチ（５１１）に接する位置と、対応するスイッチ（５１１）から離れた位置との間で移動可能である。繋ぎ部（３４４）は、作用部（３４２）と押部（３４３）とを繋ぐ。押部（３４３）は、繋ぎ部（３４４）を支点として撓み可能である。
【０１２５】
以上、実施形態１〜３に係る配線器具１０Ａ，１０Ｂ，１０Ｃ及び配線器具システム１００について説明した。ただし、以上に説明した実施形態１〜３は、本発明の様々な実施形態の一つに過ぎず、上記の実施形態１〜３は、本発明の目的を達成できれば、設計等に応じて種々の変更が可能である。
【符号の説明】
【０１２６】
１  筐体
２  ボディ
２１  開口部
３  カバー
３１  第１取付部
３１１  取付突起
３１１Ａ  第１取付突起
３１１Ｂ  第２取付突起
３２  第２取付部
３２１  軸部
３４，３４Ａ  弾性片
３４２  作用部
３４３  押部
３４４  繋ぎ部
４  保持構造
４０  保持部（共通保持部）
５１  スイッチ回路
５１１  スイッチ
６  取付枠
６００  共通取付孔
７  ハンドル
７０  取付爪
７００  取付構造
７３  軸受
８  ベース
８１  開口部
９  スイッチカバー
１０Ａ，１０Ｂ，１０Ｃ  配線器具
１００  配線器具システム
【図１】
2018085318.tif 000003
【図２】
2018085318.tif 000004
【図３】
2018085318.tif 000005
【図４】
2018085318.tif 000006
【図５】
2018085318.tif 000007
【図６】
2018085318.tif 000008
【図７】
2018085318.tif 000009
【図８】
2018085318.tif 000010
【図９】
2018085318.tif 000011
【図１０】
2018085318.tif 000012
【図１１】
2018085318.tif 000013
【図１２】
2018085318.tif 000014
【図１３】
2018085318.tif 000015
【図１４】
2018085318.tif 000016
【図１５】
2018085318.tif 000017
【図１６】
2018085318.tif 000018
【図１７】
2018085318.tif 000019
【図１８】
2018085318.tif 000020
【図１９】
2018085318.tif 000021